(57)【要約】【課題】人感センサを利用して有効な動作を行う。【解決手段】加熱調理器は、リクエスト料理情報を外部装置から受信しており、かつ人感センサ（１４）が人を検知した場合に、リクエスト料理情報を報知する表示部（１０）および表示制御部（１１０ｃ）とスピーカ（２０）および音声制御部（１１０ｄ）との少なくとも一つを備える。【選択図】図３
2019184101.tif 000002
【特許請求の範囲】
【請求項１】
加熱調理を行う加熱調理器において、
外部装置と通信する通信部と、
人を検知する人感センサと、
前記通信部が、調理されることを希望するリクエスト料理の情報を含むリクエスト料理情報を前記外部装置から受信しており、かつ前記人感センサが人を検知した場合に、前記リクエスト料理情報を報知する報知部とを備えていることを特徴とする加熱調理器。
【請求項２】
加熱調理を行う調理動作部と、
料理ごとの調理情報に基づいて前記調理動作部を制御する加熱制御部と、
前記リクエスト料理についての前記調理情報を、前記通信部による前記外部装置との通信により取得する調理メニュー管理部とを備えていることを特徴とする請求項１に記載の加熱調理器。
【請求項３】
前記報知部は、スピーカおよび前記スピーカの動作を制御する音声制御部を含み、
前記音声制御部は、前記リクエスト料理情報に音声情報が含まれている場合に、その音声情報を前記スピーカに再生させることを特徴とする請求項１または２に記載の加熱調理器。
【請求項４】
加熱調理を行う調理動作部と、
料理ごとの調理情報に基づいて前記調理動作部を制御し、かつ調理残り時間を計算する加熱制御部とを備え、
前記報知部は、スピーカおよび前記スピーカの動作を制御する音声制御部を含み、
前記音声制御部は、前記人感センサが人を検知した場合に、前記調理残り時間を前記スピーカにて再生させることを特徴とする請求項１に記載の加熱調理器。
【請求項５】
加熱調理器の庫内を照らす庫内灯と、
前記人感センサが人を検知した場合に、前記庫内灯を点灯させる庫内灯制御部とを備えていることを特徴とする請求項１から４のいずれか１項に記載の加熱調理器。
【請求項６】
前記報知部は、スピーカおよび前記スピーカの動作を制御する音声制御部を含み、
前記音声制御部は、セキュリティモードが設定されており、かつ前記人感センサが人を検知した場合に、調理が完了したこと、人が在宅中であること、あるいは人が直ぐに帰宅することの少なくとも一つを知らせるセキュリティ音声を前記スピーカにて再生させることを特徴とする請求項１に記載の加熱調理器。
【請求項７】
請求項１から３のいずれか１項に記載の加熱調理器と、前記リクエスト料理情報を送信する端末装置と、前記端末装置と通信し、前記端末装置から受信した前記リクエスト料理情報を前記加熱調理器へ送信する前記外部装置としての管理サーバとを備えていることを特徴とする加熱調理システム。
【発明の詳細な説明】
【技術分野】
【０００１】
本発明は、人感センサを備えた加熱調理器に関する。
【背景技術】
【０００２】
従来、例えば特許文献１に開示されているように、加熱調理器とは別の位置に人感センサを配置し、人感センサが検知する人の存在の有無に応じて、加熱動作を制御する加熱調理器が知られている。
【先行技術文献】
【特許文献】
【０００３】
【特許文献１】特開２０１１−０２１８４５号公報
【発明の概要】
【発明が解決しようとする課題】
【０００４】
一方、従来の加熱調理器としては、加熱調理器自体が人感センサを有する構成が知られている。このような加熱調理器は、人感センサを加熱動作の制御以外にも有効に利用することが好ましい。
【０００５】
したがって、本発明の一態様は、人感センサを利用して有効な動作を行うことができる加熱調理器の提供を目的としている。
【課題を解決するための手段】
【０００６】
上記の課題を解決するために、本発明の一態様に係る加熱調理器は、加熱調理を行う加熱調理器において、外部装置と通信する通信部と、人を検知する人感センサと、前記通信部が、調理されることを希望するリクエスト料理の情報を含むリクエスト料理情報を前記外部装置から受信しており、かつ前記人感センサが人を検知した場合に、前記リクエスト料理情報を報知する報知部とを備えている。
【発明の効果】
【０００７】
本発明の一態様によれば、加熱調理器は、人感センサを利用して有効な動作を行うことができる。
【図面の簡単な説明】
【０００８】
【図１】本発明の実施形態の加熱調理器を備えた加熱調理システムの構成を示す模式図である。
【図２】図１に示した加熱調理器の外観を示す斜視図である。
【図３】図１に示した加熱調理器の制御ブロック図である。
【図４】図１に示した管理サーバの構成を示すブロック図である。
【図５】図１に示した加熱調理器の動作を示すフローチャートである。
【図６】本発明の他の実施形態の加熱調理システムの管理サーバの動作を示すフローチャートである。
【図７】本発明の他の実施形態の加熱調理器の動作を示すフローチャートである。
【図８】本発明のさらに他の実施形態の加熱調理器の外観を示す斜視図である。
【図９】図８に示した加熱調理器の制御ブロック図である。
【図１０】図８に示した加熱調理器の動作を示すフローチャートである。
【図１１】本発明のさらに他の実施形態の加熱調理器の動作を示すフローチャートである。
【図１２】本発明のさらに他の実施形態の加熱調理器の動作を示すフローチャートである。
【発明を実施するための形態】
【０００９】
〔実施形態１〕
以下、本発明の実施形態について、詳細に説明する。本実施形態では、加熱調理器は、携帯端末装置から依頼されたリクエスト料理を加熱調理器のユーザに報知するようになっている。
【００１０】
（加熱調理システムの概要）
図１は、本実施形態の加熱調理器を備えた加熱調理システムの構成を示す模式図である。図１に示すように、加熱調理システムは、加熱調理器１００、管理サーバ２００および携帯端末装置３００を備えている。
【００１１】
加熱調理器１００は、管理サーバ（外部装置）２００と例えばインターネット回線を介して通信し、携帯端末装置３００は、管理サーバ２００と例えばモバイル回線を介して通信する。なお、これら通信回線の種類については特に限定されない。
【００１２】
管理サーバ２００は、例えばクラウドコンピューティングシステムを構成するクラウドサーバである。
【００１３】
加熱調理器１００は、詳細には、ＷｉＦｉ(登録商標)通信モジュール１２０を備え、無線アクセスポイント８０およびインターネット回線を介して管理サーバ２００と通信する。なお、ＷｉＦｉ（登録商標）通信モジュール１２０は、インターネット回線に直接に接続されるようにしてもよい。また、ＷｉＦｉ（登録商標）の代わりにBluetooth(登録商標)などの他の通信規格を用いてもよい。
【００１４】
（加熱調理器１００の外観構成）
図２は、加熱調理器１００の外観を示す斜視図である。加熱調理器１００は、図２に示すように、直方体形状の本体ケーシング１と、本体ケーシング１内に設けられ、前側に開口部２ａを有する加熱庫２と、加熱庫２の開口部２ａを開閉する扉３とを備えている。
【００１５】
本体ケーシング１は、上側かつ後側に排気ダクト５を備え、前面の下部に露受容器６を備えている。扉３は、耐熱性の透明な外ガラス７を前面に有し、外ガラス７の上側にハンドル８を有し、外ガラス７の右側に操作パネル９を有している。
【００１６】
操作パネル９は、表示部１０（報知部）、消しキー１２およびスタートキー１３を含んでいる。表示部１０は、例えばカラー液晶表示部である。取り消しキー１２は、途中で加熱を止めるときなどに押すキーであり、スタートキー１３は、加熱を開始するときに押すキーである。
【００１７】
また、操作パネル９の位置の本体ケーシング１の内部には、人感センサ１４が設けられている。人感センサ１４は、例えば扉３の内部に設けられた制御基板（図示せず）に取り付けられ、扉３の外面の窓（図示せず）に臨むように配置されている。人感センサ１４は、例えば人感センサ１４の検知範囲内での人の動きにより、加熱調理器１００が置いてある部屋内での人の存在、あるいは加熱調理器１００の近傍での人の存在を検知する。
【００１８】
（加熱調理器１００の制御ブロックの構成）
図３は、加熱調理器１００の制御ブロック図である。加熱調理器１００は、図３に示すように、制御装置１１０を備えている。制御装置１１０には、ＷｉＦｉ（登録商標）通信モジュール１２０、操作パネル９、スピーカ（報知部）２０、調理動作部３０および人感センサ１４が接続されている。調理動作部３０は、例えばヒータ３０ａおよびネトロン３０ｂを備えている。
【００１９】
制御装置１１０は、マイクロコンピュータと入出力回路などからなり、加熱制御部１１０ａ、通信制御部１１０ｂ、表示制御部（報知部）１１０ｃ、音声制御部（報知部）１１０ｄおよび調理メニュー管理部１１０ｅを有する。
【００２０】
加熱制御部１１０ａは、調理動作部３０を制御して加熱調理を行う。通信制御部１１０ｂは、ＷｉＦｉ（登録商標）通信モジュール１２０を制御する。音声制御部１１０ｄは、スピーカ２０による発声動作（発話動作）を制御する。調理メニュー管理部１１０ｅは、加熱調理器１００にて実行可能な料理、およびそれら料理ごとの調理動作部３０に対して加熱制御部１１０ａが行う制御内容の情報（以下、調理情報と称する）を記憶し、管理する。
【００２１】
表示制御部１１０ｃは、表示部１０の表示動作を制御する。例えば、操作パネル９に対するユーザの操作に応じて、調理メニュー管理部１１０ｅが管理する、加熱調理器１００にて実行可能な料理を表示部１０に表示させる。また、表示部１０に各種メッセージを適宜表示させる。
【００２２】
（管理サーバ２００の構成）
図４は、管理サーバ２００の構成を示すブロック図である。管理サーバ２００は、図４に示すように、通信部２００ａ、調理メニュー管理部２００ｂおよび端末装置管理部２００ｃを備えている。
【００２３】
通信部２００ａは、加熱調理器１００および携帯端末装置３００と通信する。調理メニュー管理部２００ｂは、加熱調理器１００にて実行可能な料理およびそれら料理についての調理情報を記憶し、管理する。端末装置管理部２００ｃは、加熱調理器１００との通信を許可された端末装置（本実施形態では携帯端末装置３００）の情報を管理している。
【００２４】
（携帯端末装置３００の構成）
携帯端末装置３００は、例えばスマートフォンであり、スマートフォンとしての周知の構成を有する。携帯端末装置３００は、ペアリングにより、加熱調理器１００と通信可能な端末装置として、管理サーバ２００に登録されている。
【００２５】
（加熱調理システムの動作）
上記の構成において、加熱調理器１００の動作を中心とした加熱調理システムの動作について以下に説明する。図５は、加熱調理器１００の動作を示すフローチャートである。
【００２６】
加熱調理システムでは、携帯端末装置３００は、管理サーバ２００を経由して、加熱調理器１００に対し携帯端末装置３００のユーザが希望する料理を通知することができる。以下では、その料理をリクエスト料理と称する。携帯端末装置３００からのリクエスト料理の送信は、専用のアプリケーションソフトウエア（以下、リクエスト専用アプリと称する）を使用して行うようにしてもよい。この場合、携帯端末装置３００は、例えば管理サーバ２００が保有するリクエスト専用アプリをダウンロードして使用する。
【００２７】
携帯端末装置３００のユーザ（例えば加熱調理器１００を備えている家の子供や父親、あるいは夫）は、例えば夕食に食べたい料理（夕食のリクエスト料理）がある場合、携帯端末装置３００を操作してリクエスト料理情報を管理サーバ２００に送信する。管理サーバ２００は、携帯端末装置３００からリクエスト料理情報を受信すると、加熱調理器１００に対してリクエスト料理情報を通知する。
【００２８】
加熱調理器１００の調理メニュー管理部１１０ｅは、リクエスト料理情報を受信すると（Ｓ１１）、リクエスト料理についての調理情報の有無を確認する（Ｓ１２）。調理メニュー管理部１１０ｅがリクエスト料理についての調理情報を保有していれば（Ｓ１３）、Ｓ１５の動作へ進む。
【００２９】
一方、調理メニュー管理部１１０ｅは、リクエスト料理についての調理情報を保有していなければ（Ｓ１３）、通信制御部１１０ｂに管理サーバ２００との通信を指示し管理サーバ２００からリクエスト料理についての調理情報を取得する（Ｓ１４）。取得した調理情報は、調理メニュー管理部１１０ｅが記憶し、管理する。なお、Ｓ１２〜Ｓ１４の動作は、Ｓ１１の動作の直後ではなく、下記のＳ１５の動作とＳ１６の動作との間にて行ってもよい。
【００３０】
その後、人感センサ１４が人を検知すると（Ｓ１５）、加熱調理器１００はリクエスト料理が存在することおよびリクエスト料理の内容を通知する（Ｓ１６）。
【００３１】
具体的には、表示制御部１１０ｃは、操作パネル９の表示部１０に、例えばリクエスト料理が存在すること、リクエスト料理の内容および依頼者名を示すメッセージを表示させる。また、音声制御部１１０ｄは、発話機能（音声合成機能）により、例えばリクエスト料理が存在すること、リクエスト料理の内容および依頼者名を示すメッセージをスピーカ２０から音声によって報知させる。この場合のリクエスト料理の内容を知らせる音声は、例えば「夕食には（リクエスト料理名）を作ってね」というものである。なお、リクエスト料理の報知は、表示部１０またはスピーカ２０のいずれか一方のみにて行ってもよい。
【００３２】
その後、加熱調理器１００のユーザ（例えば母親や妻）により、操作パネル９においてリクエスト料理の調理が選択され、リクエスト料理の開始が指示されると（Ｓ１７）、加熱制御部１１０ａは、調理動作部３０を制御してリクエスト料理の調理を実行する（Ｓ１８）。
【００３３】
その後、リクエスト料理の調理が完了すると（Ｓ１９）、通信制御部１１０ｂは、リクエスト料理が完了したという情報を管理サーバ２００に送信する（Ｓ２０）。管理サーバ２００は、加熱調理器１００からリクエスト料理が完了したという情報を受信すると、その情報を携帯端末装置３００へ送信する。これにより、携帯端末装置３００のユーザは、リクエスト料理が行われたことを知ることができる。
【００３４】
（リクエスト料理情報の報知タイミングについて）
（１）表示制御部１１０ｃおよび音声制御部１１０ｄによるリクエスト料理情報の報知は、加熱調理器１００がリクエスト料理情報を受信後、人感センサ１４が最初に人を検知してからリクエスト料理の調理が開始されるまでの間、継続して行ってもよい。この場合、上記の間、表示部１０による報知は継続する一方、スピーカ２０による報知は適当な時間間隔をおいて断続的に行ってもよい。
【００３５】
（２）表示制御部１１０ｃおよび音声制御部１１０ｄによるリクエスト料理情報の報知は、加熱調理器１００がリクエスト料理情報を受信後、人感センサ１４が最初に人を検知してから操作パネル９の停止ボタンが操作されるまで継続して行ってもよい。
【００３６】
（３）表示制御部１１０ｃおよび音声制御部１１０ｄによるリクエスト料理情報の報知は、節電のためや不要な報知を避けるため、加熱調理器１００がリクエスト料理情報を受信後、あらかじめ設定した時間帯のみに行うようにしてもよい。あらかじめ設定した時間帯は、例えば加熱調理器１００のユーザが在宅している時間帯等である。
【００３７】
（４）表示制御部１１０ｃおよび音声制御部１１０ｄによるリクエスト料理情報の報知は、加熱調理器１００がリクエスト料理情報を受信後、人感センサ１４が人を検知するたびに一定時間継続して行ってもよい。
【００３８】
（５）表示制御部１１０ｃおよび音声制御部１１０ｄによるリクエスト料理情報の報知は、リクエスト料理情報にリクエスト料理の依頼者の帰宅時間が含まれている場合、加熱調理器１００がリクエスト料理情報を受信後、その帰宅時間を考慮した時間帯に行うようにしてもよい。例えば、加熱調理器１００は、加熱調理器１００でのリクエスト料理の調理時間（調理に要する時間）、および加熱調理器１００のユーザのリクエスト料理のための準備時間を、リクエスト料理の依頼者の帰宅時刻から引き算し、得られた時刻よりも前の時刻（例えば３時間前の時刻）にリクエスト料理情報の報知を開始するようにしてもよい。これにより、加熱調理器１００は、リクエスト料理を行う上での適切な時間帯にリクエスト料理情報を報知することができる。
【００３９】
（加熱調理器１００の利点）
加熱調理器１００は、携帯端末装置３００から送信されたリクエスト料理情報を管理サーバ２００を介して受信した場合に、携帯端末装置３００のユーザからのリクエスト料理が存在することを、人感センサ１４が人を検知した場合に、表示部１０での表示とスピーカ２０からの音声との少なくとも一方により報知する。これにより、加熱調理器１００を備えた家に居る加熱調理器１００のユーザ（例えば母親や妻）は、携帯端末装置３００のユーザ（例えば子供や夫）が、例えば夕食の料理としてリクエスト料理を希望していることを知ることができる。この場合、加熱調理器１００のユーザは、加熱調理器１００の近くの位置にてリクエスト料理を知らされる。したがって、加熱調理器１００のユーザは、例えば朝の会話やメールで希望の料理をリクエストされた場合と比較して、リクエスト料理の存在を忘れ難く、リクエスト料理情報の発信者（携帯端末装置３００のユーザ）の希望に沿ってリクエスト料理を作ることができる。これにより、加熱調理器１００は、人感センサを利用して有効な動作を行うことができる。
【００４０】
また、加熱調理器１００は、リクエスト料理を調理する場合に、リクエスト料理の調理情報を既に保有している。これは、加熱調理器１００の調理メニュー管理部１１０ｅがリクエスト料理についての調理情報を保有していない場合に（Ｓ１３）、管理サーバ２００からリクエスト料理についての調理情報を取得する（Ｓ１４）ことによる。したがって、加熱調理器１００のユーザは、リクエスト料理を調理する場合に、加熱調理器１００に対してリクエスト料理の調理情報を管理サーバ２００から取得するための操作を行う必要がない。これにより、加熱調理器１００の利便性を向上することができる。
【００４１】
なお、このような加熱調理器１００の機能は、リクエスト料理の依頼者とリクエスト料理を調理する加熱調理器１００のユーザとが異なる場合に限らず、リクエスト料理の依頼者とリクエスト料理を調理する加熱調理器１００のユーザとが同一の場合にも有効である。具体的には、携帯端末装置３００のユーザは、食べたい料理がある場合に、あらかじめ携帯端末装置３００からリクエスト料理情報を送信しておけば、加熱調理器１００にリクエスト料理の調理情報を保有させておくことができる。これにより、加熱調理器１００にてクエスト料理の調理を即座に開始することができる。
【００４２】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００４３】
図６は、本発明の他の実施形態の加熱調理システムの管理サーバ２００の動作を示すフローチャートである。図７は、本実施形態の加熱調理器１００の動作を示すフローチャートである。
【００４４】
上記の実施形態１では、図５に示すように、加熱調理器１００の調理メニュー管理部１１０ｅがリクエスト料理についての調理情報を保有していない場合に（Ｓ１３）、管理サーバ２００からリクエスト料理についての調理情報を取得する（Ｓ１４）ようにしている。しかしながら、本実施形態では、これに代えて、管理サーバ２００および加熱調理器１００は次のような動作を行う。
【００４５】
図６に示すように、管理サーバ２００の調理メニュー管理部２００ｂは、リクエスト料理情報を携帯端末装置３００から受信すると（Ｓ４１）、リクエスト料理の調理情報を加熱調理器１００の調理メニュー管理部１１０ｅが保有しているかどうかを確認する（Ｓ４２）。
【００４６】
その結果、加熱調理器１００の調理メニュー管理部１１０ｅがリクエスト料理の調理情報を保有していなければ（Ｓ４３）、調理メニュー管理部２００ｂは、リクエスト料理情報に加えて、リクエスト料理の調理情報を加熱調理器１００へ送信する（Ｓ４４）。
【００４７】
一方、加熱調理器１００の調理メニュー管理部１１０ｅがリクエスト料理の調理情報を保有していれば（Ｓ４３）、調理メニュー管理部２００ｂは、リクエスト料理情報のみを加熱調理器１００へ送信する（Ｓ４５）。
【００４８】
なお、Ｓ４３での判定は、管理サーバ２００の調理メニュー管理部２００ｂが行ってもよいし、調理メニュー管理部２００ｂが加熱調理器１００の調理メニュー管理部１１０ｅに問い合わせてもよい。前者の場合、管理サーバ２００の調理メニュー管理部２００ｂは、加熱調理器１００の調理メニュー管理部１１０ｅが保有している料理の調理情報を管理し、把握している。
【００４９】
図７に示すように、加熱調理器１００は、管理サーバ２００からリクエスト料理情報のみを受信すると（Ｓ５１）、Ｓ１５の動作へ進む。一方、加熱調理器１００は、管理サーバ２００からリクエスト料理情報およびリクエスト料理の調理情報を受信すると（Ｓ５２）、調理メニュー管理部１１０ｅがリクエスト料理の調理情報を保存し（Ｓ５３）、Ｓ１５の動作へ進む。Ｓ１５以降の動作は、図５に示した動作と同様であるので説明を省略する。
【００５０】
加熱調理器１００を含む加熱調理システムの他の構成は、実施形態１に示した加熱調理システムと同様である。
【００５１】
以上の動作により、本実施形態では、加熱調理器１００の負担を軽減することができる。本実施形態の加熱調理器１００の利点は、実施形態１に示した加熱調理器１００と同様である。
【００５２】
（変形例１）
以上の実施形態では、加熱調理器１００は、Ｓ１９でのリクエスト料理の完了後に、Ｓ２０にてリクエスト料理が完了したという情報を管理サーバ２００に送信している。しかしながら、加熱調理器１００は、この動作に代えて、Ｓ１８でのリクエスト料理の調理の開始後、Ｓ１９でのリクエスト料理の調理情報が完了前に、リクエスト料理の調理を開始したという情報を管理サーバ２００に送信してもよい。この場合、携帯端末装置３００のユーザは、リクエスト料理が開始されたことを知ることができる。
【００５３】
（変形例２）
以上の実施形態では、加熱調理器１００は、Ｓ１６においてクエスト料理の内容を音声にて通知する場合に、音声制御部１１０ｄが有する発話機能（音声合成機能）により、例えば「夕食には（リクエスト料理名）を作ってね」というリクエスト料理の内容を知らせる音声をスピーカ２０が発するようにしている。しかしながら、これに代えて、音声制御部１１０ｄは、携帯端末装置３００に対して入力された依頼者の音声を再生するようにしてもよい。この場合、携帯端末装置３００は、依頼者が発したリクエスト料理についての音声データを管理サーバ２００に送信し、管理サーバ２００は携帯端末装置３００から受信した音声データを加熱調理器１００に送信し、加熱調理器１００の調理メニュー管理部１１０ｅは、管理サーバ２００から受信した音声データをスピーカ２０にて再生させる。
【００５４】
このような構成では、リクエスト料理を調理する加熱調理器１００のユーザは、音声によってリクエスト料理の依頼者を容易に把握することができる。
【００５５】
（変形例３）
加熱調理器１００は、加熱調理器１００のユーザが操作パネル９を操作することにより、リクエスト料理の了承を示すメッセージをリクエスト料理の依頼者に送信できるようにしてもよい。この場合、操作パネル９にリクエスト料理の了承ボタンを設けてもよく、了承ボタンが押されると、加熱調理器１００は、リクエスト料理の了承を示すメッセージを送信する。そのメッセージは、管理サーバ２００を介して携帯端末装置３００へ送信される。これにより、リクエスト料理の依頼者は、リクエスト料理が了承されたことを知ることができる。
【００５６】
あるいは、加熱調理器１００は、加熱調理器１００のユーザがリクエスト料理とは別の料理をする予定がある場合、リクエスト料理を拒否する。この場合、加熱調理器１００は、加熱調理器１００のユーザが操作パネル９を操作することにより、リクエスト料理の拒否を示すメッセージをリクエスト料理の依頼者に送信できるようにしてもよい。また、この場合、操作パネル９にリクエスト料理の拒否ボタンを設けてもよく、拒否ボタンが押されると、加熱調理器１００は、リクエスト料理の拒否を示すメッセージ（例えば「今日は別の料理を作ります」というメッセージ）を送信する。そのメッセージは、管理サーバ２００を介して携帯端末装置３００へ送信される。これにより、リクエスト料理の依頼者は、リクエスト料理が了承されなかったことを知ることができる。
【００５７】
〔実施形態３〕
本発明のさらに他の実施形態について、以下に説明する。なお、説明の便宜上、上記実施形態にて説明した部材と同じ機能を有する部材については、同じ符号を付記し、その説明を繰り返さない。本実施形態では、加熱調理器１０３は、人感センサ１４による人の検知に応じて庫内灯４１の点灯動作を制御するようになっている。なお、本実施形態の構成は、前記の他の実施形態に付加することができる。
【００５８】
（加熱調理器１０３の外観構成）
図８は、本実施形態の加熱調理器１０３の外観を示す斜視図である。本実施形態の加熱調理器１０３は、操作パネル９の位置の本体ケーシング１の側壁内部に、図８に示す庫内灯４１を有している。庫内灯４１は、加熱調理器１０３の庫内を照らす照明である。加熱調理器１０３の外観上の他の構成は、加熱調理器１００と同様である。
【００５９】
（加熱調理器１０３の制御ブロックの構成）
図９は、加熱調理器１０３の制御ブロック図である。図９に示すように、加熱調理器１０３は、制御装置１１１を有し、制御装置１１１には、操作パネル９、スピーカ２０、調理動作部３０、人感センサ１４、庫内灯４１、ドアセンサ４２および温度センサ４３が接続されている。ドアセンサ４２は、扉３の開閉を検知する。温度センサ４３は、調理されている食品の温度を例えば間接的に検出する。
【００６０】
制御装置１１０は、マイクロコンピュータと入出力回路などからなり、加熱制御部１１０ａ、表示制御部１１０ｃ、音声制御部１１０ｄ、調理メニュー管理部１１０ｅおよび庫内灯制御部１１０ｆを有する。
【００６１】
庫内灯制御部１１０ｆは、人感センサ１４による人の検知結果に応じて庫内灯４１の点灯動作を制御する。また、庫内灯制御部１１０ｆは、ドアセンサ４２が扉３の開状態を検知しているときに、庫内灯４１を点灯させる。制御装置１１１における庫内灯制御部１１０ｆ以外の他の制御部（機能的手段）の構成は、前述した制御装置１１０と同様である。
【００６２】
（加熱調理器１０３の動作）
上記の構成において、加熱調理器１０３の動作について以下に説明する。図１０は、加熱調理器１０３の動作を示すフローチャートである。
【００６３】
図１０に示すように、庫内灯制御部１１０ｆは、加熱調理器１０３が調理を開始すると（Ｓ６１）、庫内灯４１を一定時間点灯させる（Ｓ６２）。
【００６４】
その後、庫内灯制御部１１０ｆは、人感センサ１４が人を検知すると（Ｓ６３）、庫内灯４１を再度点灯させる（Ｓ６４）。一方、Ｓ６３において、人感センサ１４が人を検知しなければ、庫内灯４１を消灯させる（Ｓ６５）。
【００６５】
庫内灯制御部１１０ｆは、加熱調理器１００での調理実行中、Ｓ６３〜Ｓ６６の動作を繰り返し、加熱調理器１００での調理が終了すると（Ｓ６６）、庫内灯４１を消灯させる（Ｓ６７）。
【００６６】
なお、庫内灯制御部１１０ｆの制御による庫内灯４１の点灯動作は、人感センサ１４が人を検知している間だけ継続して行うようにしてもよく、あるいは、人感センサ１４が人を検知した時点から一定時間のみ行うようにしてもよい。この点は、以下の他の実施形態の加熱調理器においても同様である。
【００６７】
また、庫内灯制御部１１０ｆは、庫内灯４１に対する上記の制御とは別に、ドアセンサ４２が扉３の開状態を検知しているときに、庫内灯４１を点灯させる。この場合、加熱調理器１００が調理実行中であれば、加熱制御部１１０ａは、調理動作部３０を停止させる。
【００６８】
また、表示制御部１１０ｃは、調理実行中、調理している食品の温度や調理残り時間（調理のために必要な残り時間）を表示部１０に表示させる。
【００６９】
（加熱調理器１０３の利点）
従来の加熱調理器は、庫内灯ボタンを有し、庫内灯は、調理開始後に点灯し、その後、一定時間経過すると消灯するようになっている。ユーザは、庫内灯を再度点灯させて調理の進行状態を確認したい場合、その都度、庫内灯ボタンを押す必要がある。
【００７０】
本実施形態の加熱調理器１０３では、庫内灯４１は、ユーザが調理の進行状態を確認したくて加熱調理器１０３に近づいた場合に自動的に点灯し、ユーザが加熱調理器１０３からはなれた場合に自動的に消灯する。したがって、ユーザは庫内灯ボタンを操作する必要がなく、加熱調理器１００は、利便性が向上する。これにより、加熱調理器１０３は、人感センサを利用して有効な動作を行うことができる。
【００７１】
〔実施形態４〕
本発明のさらに他の実施形態について、以下に説明する。なお、説明の便宜上、上記実施形態にて説明した部材と同じ機能を有する部材については、同じ符号を付記し、その説明を繰り返さない。なお、本実施形態の構成は、前記の他の実施形態に付加することができる。
【００７２】
本実施形態の加熱調理器１０４は、図９の構成を有し、図１１の動作を行う。図１１は、本実施形態の加熱調理器１０４の動作を示すフローチャートである。
【００７３】
前記実施形態の加熱調理器１０３は、人感センサ１４による人の検知に応じて庫内灯４１の点灯動作を制御していた。本実施形態の加熱調理器１０４は、さらに、人感センサ１４による人の検知に応じてスピーカ２０による発話を制御するようになっている。
【００７４】
（加熱調理器１０４の動作）
この場合、加熱調理器１０４は、図１１に示すように、Ｓ６４の動作に加えて、Ｓ７１の動作を行う。具体的には、庫内灯制御部１１０ｆは、加熱調理器１０４が調理を開始すると（Ｓ６１）、庫内灯４１を一定時間点灯させる（Ｓ６２）。
【００７５】
その後、庫内灯制御部１１０ｆは、人感センサ１４が人を検知すると（Ｓ６３）、庫内灯４１を再度点灯させる（Ｓ６４）。この場合、音声制御部１１０ｄは、温度センサ４３が検出する食品温度、および加熱制御部１１０ａが把握している調理残り時間をスピーカ２０からの発話によって報知する（Ｓ７１）。加熱調理器１０４の他の動作は、図１０に示した加熱調理器１０３の動作と同様である。
【００７６】
また、表示制御部１１０ｃは、調理実行中、調理している食品の温度や調理残り時間（調理のために必要な残り時間）を表示部１０に表示させる。
【００７７】
なお、音声制御部１１０ｄは、Ｓ７１のスピーカ２０からの発話動作を、人感センサ１４が人を検知している間だけ継続して行うようにしても、あるいは、人感センサ１４が人を検知した時点から一定時間のみ行うようにしてもよい。
【００７８】
（加熱調理器１０４の利点）
本実施形態の加熱調理器１０４では、Ｓ７１の動作により、加熱調理器１０４のユーザは、表示部１０を目視にて確認することなく、加熱調理器１０４の前を通ったときに、音声により食品温度および調理残り時間を知ることができる。これにより、加熱調理器１０４は、利便性が向上する。
【００７９】
また、Ｓ７１での発話内容は、従来、表示部１０を常時動作させて表示していた内容である。したがって、表示部１０の動作を省略することができる。なお、Ｓ７１の動作では、食品温度および調理残り時間を報知するようにしているが、少なくとも調理残り時間を報知するようにしてもよい。加熱調理器１０４の他の利点は、加熱調理器１０３の利点と同様である。
【００８０】
（変形例４）
上記の実施形態の加熱調理器１０４では、調理実行中に、表示制御部１１０ｃが表示部１０を動作（点灯）させて、調理している食品の温度や調理残り時間を表示させている。この場合、表示制御部１１０ｃは、庫内灯制御部１１０ｆによる庫内灯４１の制御と同様、人感センサ１４が人を検知したときに、表示部１０を動作させ、それ以外は動作を停止させるようにしてもよい。このような動作によれば、表示部１０の無駄な動作を防止し、加熱調理器１０４の省エネルギーに寄与することができる。
【００８１】
〔実施形態５〕
本発明のさらに他の実施形態について、以下に説明する。なお、説明の便宜上、上記実施形態にて説明した部材と同じ機能を有する部材については、同じ符号を付記し、その説明を繰り返さない。
【００８２】
本実施形態の加熱調理器１０５は、例えば図９の構成を有し、図１２の動作を行う。図１２は、本実施形態の加熱調理器１０５の動作を示すフローチャートである。
【００８３】
（セキュリティモードについて）
本実施形態の加熱調理器１０５はセキュリティモードによる動作が可能である。ユーザは、操作パネル９を操作することにより、セキュリティモードを設定することができる。セキュリティモードは、例えば家の居住者が全て不在になるときに設定される。音声制御部１１０ｄは、セキュリティモードが設定されている場合に、人感センサ１４が人を検知すると、セキュリティのための音声（以下、セキュリティ音声と称する）をスピーカ２０にて再生させる。セキュリティ音声は、家屋に侵入した不審者（例えば泥棒）を驚かせて退散させるためのものであり、例えば次のような音声である。
【００８４】
調理完了のメロディおよび音声（発話）：「チン。お待たせ、あたためができました。早く食べてね。」：このセキュリティ音声は、侵入者に、家の居住者が在宅であると思わせる音声である。
【００８５】
昼間の音声（発話）：「お帰り、今日はお父さんが早退してそろそろ帰ってくるよ。」：このセキュリティ音声は、侵入者には対応が厄介な、家の主人がもうすぐ帰ってくると思わせる音声である。
【００８６】
夕方の音声（発話）：「お帰り、そろそろお父さんもジムから帰ってくるよ。」：このセキュリティ音声は、上記の場合と同様、侵入者には対応が厄介な、家の主人がもうすぐ帰ってくると思わせる音声である。
【００８７】
（加熱調理器１０５の動作）
図１２に示すように、加熱調理器１０５の音声制御部１１０ｄは、電源がオン（Ｓ８１）、セキュリティモードがオン（Ｓ８２）、かつ人感センサ１４が人を検知した場合に（Ｓ８３）、セキュリティ音声をスピーカ２０から出力させる（Ｓ８４）。
【００８８】
セキュリティ音声の出力は、例えば人感センサ１４が人を検知している間だけ継続して、あるいは、人感センサ１４が人を検知した時点から一定時間のみ行う。
【００８９】
また、セキュリティモードは、セキュリティモードがオフにされた場合、あるいは電源がオフにされた場合に終了する。
【００９０】
（加熱調理器１０５の利点）
本実施形態の加熱調理器１０５では、セキュリティモードが設定された状態において、人感センサ１４が人を検知すると、セキュリティ音声がスピーカ２０から出力される。これにより、家屋に侵入した不審者（例えば泥棒）をセキュリティ音声にて驚かせて退散させることができる。これにより、加熱調理器１０５は、人感センサを利用して有効な動作を行うことができる。
【００９１】
また、セキュリティ音声の出力は、加熱調理器１０５が備えている人感センサ１４、音声制御部１１０ｄおよびスピーカ２０を利用して行うことができる。これらは、加熱調理器１０５が、調理実行中にユーザの存在を検知し、その場合に、ユーザに対して例えば調理の進捗状態等の加熱調理器１０５の状態を音声にてユーザに報知するため構成である。したがって、加熱調理器１０５は、セキュリティ音声を出力するための専用の構成を備えることなく、セキュリティ音声を出力することができる。
【００９２】
〔ソフトウェアによる実現例〕
加熱調理器の制御ブロック（特に制御装置１１０）は、集積回路（ＩＣチップ）等に形成された論理回路（ハードウェア）によって実現してもよいし、ソフトウェアによって実現してもよい。
【００９３】
後者の場合、加熱調理器は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９４】
〔まとめ〕
本発明の態様１に係る加熱調理器は、加熱調理を行う加熱調理器において、外部装置（管理サーバ２００）と通信する通信部（ＷｉＦｉ（登録商標）通信モジュール１２０）と、人を検知する人感センサ１４と、前記通信部が、調理されることを希望するリクエスト料理の情報を含むリクエスト料理情報を前記外部装置から受信しており、かつ前記人感センサ１４が人を検知した場合に、前記リクエスト料理情報を報知する報知部（表示部１０および表示制御部１１０ｃ、スピーカ２０および音声制御部１１０ｄ）とを備えている。
【００９５】
上記の構成によれば、報知部は、通信部が、リクエスト料理情報を外部装置から受信しており、かつ人感センサ１４が人を検知した場合に、リクエスト料理情報を例えば表示または音声によって知らせる。
【００９６】
これにより、加熱調理器のユーザは、例えば外部装置（管理サーバ２００）を介して加熱調理器に情報を送信する携帯端末装置３００からのリクエスト料理情報を知ることができる。したがって、加熱調理器のユーザは、例えば夕食の料理としてリクエスト料理情報の発信者（携帯端末装置３００のユーザ）の希望に沿ってリクエスト料理を作ることができる。この結果、加熱調理器は、人感センサを利用して有効な動作を行うことができる。
【００９７】
本発明の態様２に係る加熱調理器は、上記態様１において、加熱調理を行う調理動作部３０と、料理ごとの調理情報に基づいて前記調理動作部３０を制御する加熱制御部１１０ａと、前記リクエスト料理についての前記調理情報を、前記通信部による前記外部装置との通信により取得する調理メニュー管理部１１０ｅとを備えている構成としてもよい。
【００９８】
上記の構成によれば、調理メニュー管理部１１０ｅは、リクエスト料理についての調理情報を、通信部による外部装置との通信により取得する。これにより、加熱調理器は、リクエスト料理を調理する場合に、リクエスト料理の調理情報を既に保有している。したがって、加熱調理器のユーザは、リクエスト料理を調理する場合に、加熱調理器に対してリクエスト料理の調理情報を外部装置等から取得するための操作を行う必要がなく、加熱調理器にてリクエスト料理の調理を即座に開始することができる。これにより、加熱調理器の利便性を向上することができる。
【００９９】
本発明の態様３に係る加熱調理器は、上記態様１または２において、前記報知部は、スピーカ２０および前記スピーカ２０の動作を制御する音声制御部１１０ｄを含み、前記音声制御部１１０ｄは、前記リクエスト料理情報に音声情報が含まれている場合に、その音声情報を前記スピーカ２０に再生させる構成としてもよい。
【０１００】
上記の構成によれば、音声制御部１１０ｄは、リクエスト料理情報に音声情報が含まれている場合に、その音声情報をスピーカ２０に再生させるので、加熱調理器のユーザは、音声によってリクエスト料理の依頼者を容易に把握することができる。
【０１０１】
本発明の態様４に係る加熱調理器は、上記態様１において、加熱調理を行う調理動作部３０と、料理ごとの調理情報に基づいて前記調理動作部３０を制御し、かつ調理残り時間を計算する加熱制御部１１０ａと、前記報知部は、スピーカ２０および前記スピーカ２０の動作を制御する音声制御部１１０ｄを含み、前記音声制御部１１０ｄは、前記人感センサ１４が人を検知した場合に、前記調理残り時間を前記スピーカ２０にて再生させる構成としてもよい。
【０１０２】
上記の構成によれば、音声制御部１１０ｄは、人感センサ１４が人を検知した場合に、調理残り時間をスピーカ２０にて再生させる。これにより、ユーザは加熱調理器に近づいた入り、加熱調理器のそばを通過したりした場合に、調理残り時間を知ることができ、加熱調理器の利便性が向上する。
【０１０３】
本発明の態様５に係る加熱調理器は、上記態様１から４のいずれか１態様において、加熱調理器の庫内を照らす庫内灯４１と、前記人感センサ１４が人を検知した場合に、前記庫内灯４１を点灯させる庫内灯制御部１１０ｆとを備えている構成としてもよい。
【０１０４】
上記の構成によれば、庫内灯制御部１１０ｆは、人感センサ１４が人を検知した場合に、庫内灯４１を点灯させる。これにより、ユーザは加熱調理器の庫内を確認したい場合に、庫内灯ボタン等を操作する必要がなく、加熱調理器の利便性が向上する。
【０１０５】
本発明の態様６に係る加熱調理器は、上記態様１において、前記報知部は、スピーカ２０および前記スピーカ２０の動作を制御する音声制御部１１０ｄを含み、前記音声制御部１１０ｄは、セキュリティモードが設定されており、かつ前記人感センサ１４が人を検知した場合に、調理が完了したこと、人が在宅中であること、あるいは人が直ぐに帰宅することの少なくとも一つを知らせるセキュリティ音声を前記スピーカ２０にて再生させる構成としてもよい。
【０１０６】
上記の構成によれば、セキュリティ音声により、家への侵入者を驚かせて退散させることができる。これにより、加熱調理器が備えている構成を利用して防犯性を高めることができる。
【０１０７】
本発明の態様７に係る加熱調理システムは、前記態様１から３のいずれか１態様の加熱調理器と、前記リクエスト料理情報を送信する端末装置（携帯端末装置３００）と、前記端末装置と通信し、前記端末装置から受信した前記リクエスト料理情報を前記加熱調理器へ送信する前記外部装置としての管理サーバ２００とを備えている。
【０１０８】
上記の構成によれば、端末装置のユーザは、希望するリクエスト料理を、外出先から、加熱調理器のユーザに加熱調理器によってあらかじめ伝えておくことができる。また、加熱調理器のユーザは、他の手段によってリクエスト料理を伝えられる場合よりも、リクエスト料理を認識し易くなる。
【０１０９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１０】
９    操作パネル
１０    表示部（報知部）
１４    人感センサ
２０    スピーカ（報知部）
４１    庫内灯
１００，１０３〜１０５    加熱調理器
１１０    制御装置
１１０ａ  加熱制御部
１１０ｃ  表示制御部（報知部）
１１０ｄ  音声制御部（報知部）
１１０ｅ  調理メニュー管理部
１１０ｆ  庫内灯制御部
２００    管理サーバ（外部装置）
３００    携帯端末装置（端末装置）
【図１】
2019184101.tif 000003
【図２】
2019184101.tif 000004
【図３】
2019184101.tif 000005
【図４】
2019184101.tif 000006
【図５】
2019184101.tif 000007
【図６】
2019184101.tif 000008
【図７】
2019184101.tif 000009
【図８】
2019184101.tif 000010
【図９】
2019184101.tif 000011
【図１０】
2019184101.tif 000012
【図１１】
2019184101.tif 000013
【図１２】
2019184101.tif 000014